(57)【特許請求の範囲】
【請求項１】
（１）長さ方向で向き合う第１面及び第２面と幅方向で向き合う第３面及び第４面と高さ方向で向き合う第５面及び第６面とを有し、複数の第１内部電極層と複数の第２内部電極層が誘電体層を介して積層された容量部を内蔵したコンデンサ本体と、（２）前記コンデンサ本体の前記第１面に沿う第１部分と前記第５面に沿う第２部分とを有し、該第１部分に前記複数の第１内部電極層それぞれの端縁が接続された第１外部電極と、（３）前記コンデンサ本体の前記第２面に沿う第１部分と前記第５面に沿う第２部分とを有し、該第１部分に前記複数の第２内部電極層それぞれの端縁が接続された第２外部電極と、を備えた積層セラミックコンデンサであって、
前記コンデンサ本体の前記第５面の前記第１面側の端部に当該第１面の高さ方向寸法を減少させる第１窄み面が幅方向全体に亘って設けられ、前記コンデンサ本体の前記第５面の前記第２面側の端部に当該第２面の高さ方向寸法を減少させる第２窄み面が幅方向全体に亘って設けられており、
前記第１外部電極と前記コンデンサ本体の前記第５面の前記第１窄み面との間に前記第１外部電極における当該第１窄み面と向き合う部位の断面形を略直角状に整えるための第１補整部が設けられ、前記第２外部電極と前記コンデンサ本体の前記第５面の前記第２窄み面との間に前記第２外部電極における当該第２窄み面と向き合う部位の断面形を略直角状に整えるための第２補整部が設けられており、
前記第１補整部の材料と前記第２補整部の材料は良導体である、
積層セラミックコンデンサ。
【請求項２】
前記第１補整部の材料と前記第２補整部の材料には、前記第１内部電極層及び前記第２内部電極層と同じ材料が使用されている、
請求項１に記載の積層セラミックコンデンサ。
【請求項３】
前記コンデンサ本体の前記第５面の前記第１窄み面は、幅方向中央が膨らみ、且つ、前記第１面に向かって傾いた凸曲面となっており、前記第５面の前記第２窄み面は、幅方向中央が膨らみ、且つ、前記第２面に向かって傾いた凸曲面となっている、
請求項１又は２に記載の積層セラミックコンデンサ。
【請求項４】
前記コンデンサ本体の前記第５面の前記第１窄み面及び前記第２窄み面を除く部分は、幅方向中央が膨らんだ凸曲面となっている、
請求項１〜３のいずれか１項に記載の積層セラミックコンデンサ。
【発明の詳細な説明】
【技術分野】
【０００１】
本発明は、高さ方向で向き合う２つの面のうちの少なくとも一方面の両端部それぞれに、長さ方向で向き合う２つの面それぞれの高さ方向寸法を減少させる面を有するコンデンサ本体を使用した積層セラミックコンデンサに関する。
【背景技術】
【０００２】
図１は前掲に該当する従前のコンデンサ本体１０１を示す（例えば後記特許文献１の図８〜図１０を参照）。ちなみに、図１中のＬ１１はコンデンサ本体１０１の長さ、Ｗ１１はコンデンサ本体１０１の幅、Ｈ１１はコンデンサ本体１０１の高さである。
【０００３】
コンデンサ本体１０１は、長さ方向で向き合う第１面ｆ１１及び第２面ｆ１２と、幅方向で向き合う第３面ｆ１３及び第４面ｆ１４と、高さ方向で向き合う第５面ｆ１５及び第６面ｆ１６とを有している。第５面ｆ１５及び第６面ｆ１６それぞれは、第１面ｆ１１側の端部に該第１面ｆ１１の高さ方向寸法を減少させる面ｆ１５ａ及びｆ１６ａを幅方向全体に亘って有し、且つ、第２面ｆ１２側の端部に該第２面ｆ１２の高さ方向寸法を減少させる面ｆ１５ｂ及びｆ１６ｂを幅方向全体に亘って有している。また、コンデンサ本体１０１には、複数の第１内部電極層１０２と複数の第２内部電極層１０３が誘電体層１０４を介して交互に積層された容量部（符号省略）が内蔵されている。
【０００４】
ここで、図１に示したコンデンサ本体１０１を使用した積層セラミックコンデンサで生じ得る不具合について説明する。
【０００５】
図１に示したコンデンサ本体１０１はその長さ方向両端部それぞれに外部電極を設けることによって、回路基板に実装可能な積層セラミックコンデンサとなる。例えば、各外部電極がＵ字状の場合、一方の外部電極は第１面ｆ１１に沿う部分と第５面ｆ１５に沿う部分と第６面ｆ１６に沿う部分とを有し、各第１内部電極層１０２の端縁は第１面ｆ１１に沿う部分に接続される。また、他方の外部電極は第２面ｆ１２に沿う部分と第５面ｆ１５に沿う部分と第６面ｆ１６に沿う部分とを有し、各第２内部電極層１０３の端縁は第２面ｆ１２に沿う部分に接続される。
【０００６】
しかしながら、コンデンサ本体１０１は図１に示した外形であるため、一方の外部電極の第１面ｆ１１に沿う部分と第５面ｆ１５に沿う部分との間の部分が面ｆ１５ａの態様に見合った形状になり、且つ、第１面ｆ１１に沿う部分と第６面ｆ１６に沿う部分との間の部分が面ｆ１６ａの態様に見合った形状となる。また、他方の外部電極の第２面ｆ１２に沿う部分と第５面ｆ１５に沿う部分との間の部分が面ｆ１５ｂの態様に見合った形状となり、且つ、第２面ｆ１２に沿う部分と第６面ｆ１６に沿う部分との間の部分が面ｆ１６ｂの態様に見合った形状となる。
【０００７】
依って、このような積層セラミックコンデンサを回路基板に実装するに際して、一方の外部電極の第５面ｆ１５に沿う部分と他方の外部電極の第５面ｆ１５に沿う部分それぞれを、各々に対応する導体パッドに印刷されたクリーム半田上に載置すると、一方の外部電極に面ｆ１５ａの態様に見合った形状の部分があり、且つ、他方の外部電極に面ｆ１５ｂの態様に見合った形状の部分があるが故に、積層セラミックコンデンサの姿勢が不安定になり易く、また、不安定のままで回路基板に実装されてしまうこともあるために姿勢不良が生じ易くなる。
【先行技術文献】
【特許文献】
【０００８】
【特許文献１】特開２０１５−０７６４５２号公報
【発明の概要】
【発明が解決しようとする課題】
【０００９】
本発明の課題は、高さ方向で向き合う２つの面のうちの少なくとも一方面の両端部それぞれに、長さ方向で向き合う２つの面それぞれの高さ方向寸法を減少させる面を有するコンデンサ本体を使用した場合でも、回路基板に実装するときの姿勢不良を改善できる積層セラミックコンデンサを提供することにある。
【課題を解決するための手段】
【００１０】
前記課題を解決するため、本発明に係る積層セラミックコンデンサは、（１）長さ方向で向き合う第１面及び第２面と幅方向で向き合う第３面及び第４面と高さ方向で向き合う第５面及び第６面とを有し、複数の第１内部電極層と複数の第２内部電極層が誘電体層を介して積層された容量部を内蔵したコンデンサ本体と、（２）前記コンデンサ本体の前記第１面に沿う第１部分と前記第５面に沿う第２部分とを有し、該第１部分に前記複数の第１内部電極層それぞれの端縁が接続された第１外部電極と、（３）前記コンデンサ本体の前記第２面に沿う第１部分と前記第５面に沿う第２部分とを有し、該第１部分に前記複数の第２内部電極層それぞれの端縁が接続された第２外部電極と、を備えた積層セラミックコンデンサであって、前記コンデンサ本体の前記第５面の前記第１面側の端部に当該第１面の高さ方向寸法を減少させる第１窄み面が幅方向全体に亘って設けられ、前記コンデンサ本体の前記第５面の前記第２面側の端部に当該第２面の高さ方向寸法を減少させる第２窄み面が幅方向全体に亘って設けられており、前記第１外部電極と前記コンデンサ本体の前記第５面の前記第１窄み面との間に前記第１外部電極における当該第１窄み面と向き合う部位の断面形を略直角状に整えるための第１補整部が設けられ、前記第２外部電極と前記コンデンサ本体の前記第５面の前記第２窄み面との間に前記第２外部電極における当該第２窄み面と向き合う部位の断面形を略直角状に整えるための第２補整部が設けられている。
【発明の効果】
【００１１】
本発明によれば、高さ方向で向き合う２つの面のうちの少なくとも一方面の両端部それぞれに、長さ方向で向き合う２つの面それぞれの高さ方向寸法を減少させる面を有するコンデンサ本体を使用した場合でも、回路基板に実装するときの姿勢不良を改善できる積層セラミックコンデンサを提供することができる。
【図面の簡単な説明】
【００１２】
【図１】図１（Ａ）は従前のコンデンサ本体を第６面ｆ１６側から見た図、図１（Ｂ）は図１（Ａ）のＳ１１−Ｓ１１線に沿う断面図である。
【図２】図２（Ａ）は本発明を適用したコンデンサ本体を第５面ｆ５側から見た図、図２（Ｂ）は図２（Ａ）のＳ１−Ｓ１線に沿う断面図、図２（Ｃ）は図２（Ａ）のＳ２−Ｓ２線に沿う断面図、図２（Ｄ）は図２（Ａ）に示したコンデンサ本体を第１面ｆ１側から見た図である。
【図３】図３（Ａ）と図３（Ｂ）それぞれは、図２に示したコンデンサ本体の作製方法を説明するための図である。
【図４】図４（Ａ）と図４（Ｂ）それぞれは、図２に示したコンデンサ本体の作製方法を説明するための図である。
【図５】図５（Ａ）は図２に示したコンデンサ本体を使用した積層セラミックコンデンサを示す図２（Ｂ）対応の断面図、図５（Ｂ）は同積層セラミックコンデンサをコンデンサ本体の第１面ｆ１側から見た図である。
【図６】図６は図２に示したコンデンサ本体の変形例を示す図２（Ａ）対応図である。
【発明を実施するための形態】
【００１３】
図２は本発明を適用したコンデンサ本体１１を示す。ちなみに、図２中のＬはコンデンサ本体１１の長さ、Ｗはコンデンサ本体１１の幅、Ｈはコンデンサ本体１１の高さである。なお、図２には、長さＬと幅Ｗと高さＨそれぞれが長さＬ＞幅Ｗ＝高さＨであるコンデンサ本体１１を描いているが、これら長さＬと幅Ｗと高さＨの関係は長さＬ＞幅Ｗ＞高さＨや、長さＬ＞高さＨ＞幅Ｗの他、幅Ｗ＞長さＬ＝高さＨや、幅Ｗ＞長さＬ＞高さＨや、幅Ｗ＞高さＨ＞長さＬであってもよい。
【００１４】
コンデンサ本体１１は、長さ方向で向き合う第１面ｆ１及び第２面ｆ２と、幅方向で向き合う第３面ｆ３及び第４面ｆ４と、高さ方向で向き合う第５面ｆ５及び第６面ｆ６とを有している。第１面ｆ１と第２面ｆ２と第３面ｆ３と第４面ｆ４それぞれは略平坦な面となっているものの、第５面ｆ５の第１窄み面ｆ５ａ及び第２窄み面ｆ５ｂを除く部分は幅方向中央が膨らんだ凸曲面となっており、第６面ｆ６の第１窄み面ｆ６ａ及び第２窄み面ｆ６ｂを除く部分は幅方向中央が膨らんだ凸曲面となっている（図２（Ｃ）及び図２（Ｄ）を参照）。また、第５面ｆ５及び第６面ｆ６それぞれは、第１面ｆ１側の端部に該第１面ｆ１の高さ方向寸法を減少させる第１窄み面ｆ５ａ及びｆ６ａを幅方向全体に亘って有し、且つ、第２面ｆ２側の端部に該第２面ｆ２の高さ方向寸法を減少させる第２窄み面ｆ５ｂ及びｆ６ｂを幅方向全体に亘って有している（図２（Ｂ）及び図２（Ｄ）を参照）。第１窄み面ｆ５ａ及びｆ６ａそれぞれは幅方向中央が膨らみ、且つ、第１面ｆ１に向かって傾いた凸曲面となっており、第２窄み面ｆ５ｂ及びｆ６ｂそれぞれは幅方向中央が膨らみ、且つ、第２面ｆ２に向かって傾いた凸曲面となっている。
【００１５】
なお、図２には、第５面ｆ５の第１窄み面ｆ５ａ及び第２窄み面ｆ５ｂを除く部分と第６面ｆ６の第１窄み面ｆ６ａ及び第２窄み面ｆ６ｂを除く部分それぞれの長さ方向寸法及び凸曲面の態様を略同じにしたものを示しているが、各々の長さ方向寸法は多少相違していてもよいし、凸曲面の態様も多少相違していてもよい。また、図２には、第１窄み面ｆ５ａと第２窄み面ｆ５ｂと第１窄み面ｆ６ａと第２窄み面ｆ６ｂそれぞれの長さ方向寸法及び凸曲面の態様を略同じにしたものを示しているが、各々の長さ方向寸法は多少相違していてもよいし、凸曲面の態様も多少相違していてもよい。さらに、第５面ｆ５の第１窄み面ｆ５ａ及び第２窄み面ｆ５ｂを除く部分と第６面ｆ６の第１窄み面ｆ６ａ及び第２窄み面ｆ６ｂを除く部分それぞれ、並びに、第１窄み面ｆ５ａと第２窄み面ｆ５ｂと第１窄み面ｆ６ａと第２窄み面ｆ６ｂそれぞれは、必ずしも単一の曲率半径を有する凸曲面でなくてもよく、例えば単一の曲率半径を有しない曲面からなるものの全体として凸曲面の形を呈しているものや、形が異なる複数の曲面が組み合わされているものの全体として凸曲面の形を呈しているものや、略平坦な面を部分的に含むものの全体として凸曲面の形を呈しているもの等であってもよい。
【００１６】
また、コンデンサ本体１１には、複数の第１内部電極層１２と複数の第２内部電極層１３が誘電体層１４を介して交互に積層された容量部（符号省略）が内蔵されており、この容量部の幅方向両側と高さ方向両側は誘電体からなるマージン部（符号省略）によって覆われている（図２（Ｂ）及び図２（Ｃ）を参照）。各第１内部電極層１２の長さ方向一端部（図２（Ｂ）の左端部）は引出部１２ａとなっており、各第２内部電極層１３の長さ方向他端部（図２（Ｂ）の右端部）は引出部１３ａとなっている。なお、図２には、第１内部電極層１２と２内部電極層１３それぞれを５層ずつ描いているが、これは図示の都合によるものであって、第１内部電極層１２と第２内部電極層１３それぞれの層数に特段の制限はない。
【００１７】
コンデンサ本体１１の材料について補足すれば、コンデンサ本体１１の第１内部電極層１２と第２内部電極層１３を除く部分には、好ましくはチタン酸バリウム、チタン酸ストロンチウム、チタン酸カルシウム、チタン酸マグネシウム、ジルコン酸カルシウム、チタン酸ジルコン酸カルシウム、ジルコン酸バリウム、酸化チタン等を主成分とした誘電体セラミックス、より好ましくはε＞１０００又はクラス２（高誘電率系）の誘電体セラミックスを使用できる。
【００１８】
各第１内部電極層１２の材料と各第２内部電極層１３の材料について補足すれば、各第１内部電極層１２と各第２内部電極層１３には、好ましくはニッケル、銅、パラジウム、白金、銀、金、これらの合金等を主成分した良導体を使用できる。
【００１９】
各第１内部電極層１２と各第２内部電極層１３の輪郭及び厚さと、各誘電体層１４の厚さについて補足すれば、各第１内部電極層１２の輪郭と各第２内部電極層１３の輪郭は矩形であって、各第１内部電極層１２の輪郭寸法及び厚さと各第２内部電極層１３の輪郭寸法及び厚さは略同じであり、各誘電体層１４の厚さは略同じである。
【００２０】
図２から分かるように、前記コンデンサ本体１１は、第１補整部１５と、第２補整部１６を備えている。第１補整部１５は、コンデンサ本体１１の第５面ｆ５の第１窄み面ｆ５ａ全体に密着する面の他に、コンデンサ本体１１の第１面ｆ１と段差無く連続する第１の面（符号省略）と、第３面ｆ３と段差無く連続する第２の面（符号省略）と、第４面ｆ４と段差無く連続する第３の面（符号省略）と、第５面ｆ５（具体的には第５面ｆ５の幅方向中央に接する平面）と段差無く連続する第４の面（符号省略）とを有している。第１補整部１５の第１の面と第２の面と第３の面と第４の面それぞれは略平坦な面となっており、第１の面と第２の面と第３の面それぞれは第４の面と略直角を成している。また、第２補整部１６は、コンデンサ本体１１の第５面ｆ５の第２窄み面ｆ５ｂ全体に密着する面の他に、コンデンサ本体１１の第２面ｆ２と段差無く連続する第１の面（符号省略）と、第３面ｆ３と段差無く連続する第２の面（符号省略）と、第４面ｆ４と段差無く連続する第３の面（符号省略）と、第５面ｆ５（具体的には第５面ｆ５の幅方向中央に接する平面）と段差無く連続する第４の面（符号省略）とを有している。第２補整部１６の第１の面と第２の面と第３の面と第４の面それぞれは略平坦な面となっており、第１の面と第２の面と第３の面それぞれは第４の面と略直角を成している。
【００２１】
なお、第１補整部１５の材料と第２補整部１６の材料には、好ましくは先に述べた各第１内部電極層１２及び各第２内部電極層１３と同じ材料が使用できる。
【００２２】
ここで、図３及び図４を用いて、図２に示した補整部付きのコンデンサ本体１１の作製方法例について説明する。先ず、誘電体セラミックス粉末を含有したセラミックスラリーと、良導体粉末を含有した電極ペーストを用意する。続いて、キャリアフィルムの表面にセラミックスラリーを塗工し乾燥して、第１グリーンシートを作製する。また、第１グリーンシートの表面に電極ペーストを印刷し乾燥して、第１内部電極層１２及び第２内部電極層１３の前身となる内部電極パターン群が形成された第２グリーンシートを作製する。
【００２３】
続いて、第１グリーンシートから取り出した単位シートを所定枚数に達するまで積み重ねて熱圧着する作業を繰り返して、高さ方向一方のマージン部に対応する部位を作製する。また、第２グリーンシートから取り出した単位シート（内部電極パターン群を含む）を所定枚数に達するまで積み重ねて熱圧着する作業を繰り返して、容量部に対応する部位を作製する。さらに、第１グリーンシートから取り出した単位シートを所定枚数に達するまで積み重ねて熱圧着する作業を繰り返して、高さ方向他方のマージン部に対応する部位を作製する。最後に、積み重ねられた全体を本熱圧着して、図３（Ａ）及び図３（Ｂ）に示した未焼成積層シートＵＬＳを作製する。この未焼成積層シートＵＬＳの積層方向両面には、図３（Ａ）に示したようにコンデンサ本体１１の長さに略対応する間隔で第１凹部ＣＰ１がストライプ状に形成されると共に、図３（Ｂ）に示したようにコンデンサ本体１１の幅に略対応する間隔で第２凹部ＣＰ２が第１凹部ＣＰ１と略直交するようにストライプ状に形成される。ちなみに、第１凹部ＣＰ１は主として積層方向における内部電極パターンＩＥＰの数の違いに依存して形成されものであり、第２凹部ＣＰ２は主として積層方向における内部電極パターンＩＥＰの存在の有無に依存して形成されるものである。ちなみに、未焼成積層シート作製工程では、合成ゴム等からなる圧着用弾性板の厚さ又は形を変える等して、前記第１凹部ＣＰ１と前記第２凹部ＣＰ２が未焼成積層シートＵＬＳの積層方向両面に形成されるようにする。
【００２４】
続いて、図４（Ａ）に示したように、図３（Ａ）に示した未焼成積層シートＵＬＳの積層方向一方面の各第１凹部ＣＰ１を充填材で埋めて、充填部ＦＭを形成する。この充填部ＦＭの形成は、電極ペースト（前記電極ペーストと同じ電極ペースト、或いは、良導体粉末の種類が異なる別の電極ペースト）を充填材として用い、該充填材を各第１凹部ＣＰ１内に印刷し乾燥するか、或いは、ディスペンサーを用いて塗布し乾燥する方法が好ましく採用できる。
【００２５】
続いて、図４（Ｂ）に示したように、図４（Ａ）に示した未焼成積層シートＵＬＳを仮想ラインＣＬに沿って格子状に切断して、コンデンサ本体１１に対応した未焼成積層チップＵＬＣを作製する。この未焼成積層チップＵＬＣは、第１補整部１５及び第２補整部１６の前身となる切断充填部ＦＭａを積層方向一方面の両端部に有している。
【００２６】
続いて、図４（Ｂ）に示した未焼成積層チップＵＬＣを、前記セラミックスラリーに含まれている誘電体セラミックス粉末と前記電極ペーストに含まれている良導体粉末に応じた雰囲気下、並びに、温度プロファイルにて多数個一括で焼成（脱バインダ処理と焼成処理を含む）を行って、焼成チップを作製する。続いて、焼成チップを多数個一括でバレル研磨して角及び稜線に丸み付けを行って、第１補整部１５及び第２補整部１６を有するコンデンサ本体１１を作製する。
【００２７】
図５は図２に示したコンデンサ本体１１を使用した積層セラミックコンデンサを示す。図５に示した積層セラミックコンデンサは、図２に示したコンデンサ本体１１の長さ方向両端部それぞれに略Ｌ字状の第１外部電極１７と略Ｌ字状の第２外部電極１８を設けたものである。
【００２８】
第１外部電極１７は、コンデンサ本体１１の第１面ｆ１と第１補整部１５の第１の面に沿う第１部分１７ａと、コンデンサ本体１１の第５面ｆ５と第１補整部１５の第４の面に沿う第２部分１７ｂとを有しており、第５面ｆ５の第１窄み面ｆ５ａと向き合う部位１７ｃの断面形は第１補整部１５の存在によって略直角状となっている。また、第２外部電極１８は、コンデンサ本体１１の第２面ｆ２と第２補整部１６の第１の面に沿う第１部分１８ａと、第５面ｆ５と第２補整部１６の第４の面に沿う第２部分１８ｂとを有しており、第５面ｆ５の第２窄み面ｆ５ｂと向き合う部位１８ｃの断面形は第２補整部１６の存在によって略直角状となっている。
【００２９】
つまり、第１外部電極１７とコンデンサ本体１１の第５面ｆ５の第１窄み面ｆ５ａとの間には、第１外部電極１７における第１窄み面ｆ５ａと向き合う部位１７ｃの断面形を略直角状に整えるための第１補整部１５が設けられている。また、第２外部電極１８とコンデンサ本体１１の第５面ｆ５の第２窄み面ｆ５ｂとの間には、第２外部電極１８における第２窄み面ｆ５ｂと向き合う部位１８ｃの断面形を略直角状に整えるための第２補整部１６が設けられている。ちなみに、第１外部電極１７の幅方向寸法と第２外部電極１８の幅方向寸法それぞれは、コンデンサ本体１１の幅方向寸法（幅Ｗ）と略一致している。また、第１外部電極１７の第１部分１７ａの末端の位置はコンデンサ本体１１の第１面ｆ１と第６面ｆ６の第１窄み面ｆ６ａとの境界に達しており、且つ、第２外部電極１８の第１部分１８ａの末端の位置は第２面ｆ２と第６面ｆ６の第２窄み面ｆ６ｂとの境界に達している。
【００３０】
図示を省略したが、第１外部電極１７は、コンデンサ本体１１の第１面ｆ１及び第５面ｆ５と第１補整部１５の第１の面及び第４の面に密着した下地膜と、この下地膜の外面に密着した表面膜との２層構造、或いは、下地膜と表面膜との間に少なくとも１つの中間膜を有する多層構造を有している。また、第２外部電極１８は、コンデンサ本体１１の第２面ｆ２及び第５面ｆ５と第２補整部１６の第１の面及び第４の面に密着した下地膜と、この下地膜の外面に密着した表面膜との２層構造、或いは、下地膜と表面膜との間に少なくとも１つの中間膜を有する多層構造を有している。
【００３１】
なお、第１外部電極１７及び第２外部電極１８それぞれの下地膜は例えば焼き付け膜又はメッキ膜からなり、この下地膜には好ましくはニッケル、銅、パラジウム、白金、銀、金、これらの合金等を主成分した良導体を使用できる。表面膜は例えばメッキ膜からなり、この表面膜には好ましくは銅、スズ、パラジウム、金、亜鉛、これらの合金等を主成分とした良導体を使用できる。中間膜は例えばメッキ膜からなり、この中間膜には好ましくは白金、パラジウム、金、銅、ニッケル、これらの合金等を主成分とした良導体を使用できる。
【００３２】
ここで、図５に示した第１外部電極１７と第２外部電極１８それぞれの作製方法について説明する。先ず、コンデンサ本体１１の第１面ｆ１と第１補整部１５の第１の面と、コンデンサ本体１１の第２面ｆ２と第２補整部１６の第１の面のそれぞれに、電極ペースト（前記電極ペーストと同じ電極ペースト、或いは、良導体粉末の種類が異なる別の電極ペースト）を塗布又はディップし乾燥した後、焼き付け処理を行って下地膜を形成する。また、コンデンサ本体１１の第５面ｆ５と第１補整部１５の第４の面と、コンデンサ本体１１の第５面ｆ５と第２補整部１６の第４の面のそれぞれに、電極ペースト（前記電極ペーストと同じ電極ペースト、或いは、良導体粉末の種類が異なる別の電極ペースト）を塗布又は印刷して乾燥した後、焼き付け処理を行って別の下地膜を前記下地膜と連続するように形成する。ちなみに、これら下地膜は、スパッタリングや真空蒸着等の乾式メッキ法によって形成してもよい。
【００３３】
続いて、２つの下地膜の連続物それぞれを覆う表面膜、或いは、中間膜と表面膜を、電解メッキや無電解メッキ等の湿式メッキ法、或いは、スパッタリングや真空蒸着等の乾式メッキ法によって形成して、第１外部電極１７と第２外部電極１８それぞれを作製する。
【００３４】
図５に示した積層セラミックコンデンサは、第１外部電極１７における第５面ｆ５の第１窄み面ｆ５ａと向き合う部位１７ｃの断面形が第１補整部１５の存在によって略直角状になっており、第２外部電極１８における第５面ｆ５の第２窄み面ｆ５ｂと向き合う部位１８ｃの断面形が第２補整部１６の存在によって略直角状となっている。即ち、第１外部電極１７の第２部分１７ｂの外面のうちの少なくとも第１補整部１５と向き合う領域が略平坦な面となっており、第２外部電極１８の第２部分１８ｂの外面のうちの少なくとも第２補整部１６と向き合う領域が略平坦な面となっている。
【００３５】
依って、図５に示した積層セラミックコンデンサを回路基板に実装するに際して、第１外部電極１７の第２部分１７ｂと第２外部電極１８の第２部分１８ｂそれぞれを各々に対応する導体パッドに印刷されたクリーム半田上に載置しても、積層セラミックコンデンサの姿勢が不安定になり難く、しかも、不安定のままで回路基板に実装されてしまうことも極力防ぐことができることから姿勢不良が生じ難くなる。つまり、積層セラミックコンデンサを回路基板に実装するときの姿勢不良を改善できる。
【００３６】
図６は図２に示したコンデンサ本体１１の変形例、具体的には図２（Ａ）に示した第１補整部１５と第２補整部１６の形を変えたコンデンサ本体１１を示す。図６に示した第１補整部１５’は、第３面ｆ３と段差無く連続する第２の面（符号省略）と、第４面ｆ４と段差無く連続する第３の面（符号省略）と、第５面ｆ５（具体的には第５面ｆ５の幅方向中央に接する平面）と段差無く連続する第４の面（符号省略）のそれぞれが、図５（Ａ）に示した第１外部電極１７の第２部分１７ｂの末端まで延びている。また、図６に示した第２補整部１６’は、第３面ｆ３と段差無く連続する第２の面（符号省略）と、第４面ｆ４と段差無く連続する第３の面（符号省略）と、第５面ｆ５（具体的には第５面ｆ５の幅方向中央に接する平面）と段差無く連続する第４の面（符号省略）のそれぞれが、図５（Ａ）に示した第１外部電極１８の第２部分１８ｂの末端まで延びている。即ち、第１補整部１５’と第２補整部１６’それぞれの長さ方向寸法Ｌ１は、図５（Ａ）に示した長さ方向寸法Ｌ１と略同じになっている。
【００３７】
このような第１補整部１５’と第２補整部１６’は、図３（Ａ）に示した未焼成積層シートＵＬＳの積層方向一方面の各第１凹部ＣＰ１を充填材で埋めるときに、図３（Ｂ）に示した各第２凹部ＣＰ２のうちの各第１凹部ＣＰ１に近い部分を当該充填材で同時に埋めてることによって形成することができる。
【００３８】
図６に示したコンデンサ本体１１を使用して図５に示した積層セラミックコンデンサを作製すれば、第１外部電極１７の第２部分１７ｂの外面全体を略平坦な面とすることができ、且つ、第２外部電極１８の第２部分１８ｂの外面全体を略平坦な面とすることができる。依って、図６に示したコンデンサ本体１１を使用した積層セラミックコンデンサによれば、当該積層セラミックコンデンサを回路基板に実装するときの姿勢不良をより効果的に改善できる。
【００３９】
なお、前述の実施形態では、コンデンサ本体１１の第６面ｆ６として、第１窄み面ｆ６ａ及び第２窄み面ｆ６ｂを有し、且つ、第１窄み面ｆ６ａ及び第２窄み面ｆ６ｂを除く部分が幅方向中央が膨らんだ凸曲面となっているものを説明したが、コンデンサ本体１１の第６面ｆ６から第１窄み面ｆ６ａ及び第２窄み面ｆ６ｂを排除して第６面ｆ６全体を幅方向中央が膨らんだ凸曲面としても、また、第６面ｆ６全体を略平坦な面としても、前記同様の効果を得ることができる。
【００４０】
また、前述の実施形態では、第１外部電極１２の幅方向寸法と第２外部電極１３の幅方向寸法それぞれをコンデンサ本体１１の幅方向寸法（幅Ｗ）と略一致させたものを説明したが、第１外部電極１７と第２外部電極１８それぞれの幅方向寸法を幅Ｗよりも僅かに小さくしても、前記同様の効果を得ることができる。加えて、第１外部電極１７の第１部分１７ａの末端の位置がコンデンサ本体１１の第１面ｆ１と第６面ｆ６の第１窄み面ｆ６ａとの境界に達し、且つ、第２外部電極１８の第１部分１８ａの末端の位置が第２面ｆ２と第６面ｆ６の第２窄み面ｆ６ｂとの境界に達しているものを説明したが、第１外部電極１７の第１部分１９ａの末端の位置がコンデンサ本体１１の第１面ｆ１と第６面ｆ６の第１窄み面ｆ６ａとの境界を僅かに超え、且つ、第２外部電極１８の第１部分２０ａの末端の位置が第２面ｆ２と第６面ｆ６の第２窄み面ｆ６ｂとの境界を僅かに超えていても、前記同様の効果を得ることができる。
【符号の説明】
【００４１】
１１…コンデンサ本体、ｆ１…コンデンサ本体の第１面、ｆ２…コンデンサ本体の第２面、ｆ３…コンデンサ本体の第３面、ｆ４…コンデンサ本体の第４面、ｆ５…コンデンサ本体の第５面、ｆ５ａ…第５面の第１窄み面、ｆ５ｂ…第５面の第２窄み面、ｆ６…コンデンサ本体の第６面、１２…第１内部電極層、１３…第２内部電極層、１４…誘電体層、１５，１５’…第１補整部、１６，１６’…第２補整部、１７…第１外部電極、１７ａ…第１外部電極の第１部分、１７ｂ…第１外部電極の第２部分、１７ｃ…第１外部電極における第５面の第１窄み面と向き合う部位、１８…第２外部電極、１８ａ…第２外部電極の第１部分、１８ｂ…第２外部電極の第２部分、１８ｃ…第２外部電極における第５面の第２窄み面と向き合う部位。
【図１】
0006378707.tif 000002
【図２】
0006378707.tif 000003
【図３】
0006378707.tif 000004
【図４】
0006378707.tif 000005
【図５】
0006378707.tif 000006
【図６】
0006378707.tif 000007